【手続補正書】
【提出日】平成19年5月14日(2007.5.14)
【手続補正１】
【補正対象書類名】特許請求の範囲
【補正対象項目名】全文
【補正方法】変更
【補正の内容】
【特許請求の範囲】
【請求項１】
複数の有機ＥＬ素子がライン状に配された発光素子と、前記発光素子を定電圧制御する手段と、前記発光素子の発光光量を計測する計測手段と、前記計測手段にて計測された計測値に基づいて前記発光素子の電圧を制御する手段と、を具備することを特徴とするラインヘッド。
【請求項２】
前記発光素子の発光光量を計測する計測手段は、前記発光素子の駆動電流を計測して行なうことを特徴とする、請求項１に記載のラインヘッド。
【請求項３】
前記計測手段にて計測された計測値に基づいて、前記発光素子を定電圧制御する手段から出力される電圧を調整することを特徴とする、請求項１または請求項２に記載のラインヘッド。
【請求項４】
前記発光素子の定電圧制御は、一の発光素子単位で行うことを特徴とする、請求項１ないし請求項３のいずれかに記載のラインヘッド。
【請求項５】
前記発光素子の定電圧制御は、前記ライン状に配された複数の発光素子を複数のブロックに区分したブロック単位で行うことを特徴とする、請求項１ないし請求項３のいずれかに記載のラインヘッド。
【請求項６】
前記発光素子の定電圧制御は、前記ライン状に配された複数の発光素子に対して同電圧を印加して行うことを特徴とする、請求項１ないし請求項３のいずれかに記載のラインヘッド。
【請求項７】
前記各発光素子を駆動するＦＥＴのゲート電極と前記ＦＥＴのドレイン電極との間に、コンデンサを配したことを特徴とする、請求項１ないし請求項６のいずれかに記載のラインヘッド。
【請求項８】
前記発光素子の定電圧制御は、発光光量を所定値にするために段階的に昇圧して行われることを特徴とする、請求項１ないし請求項７のいずれかに記載のラインヘッド。
【請求項９】
副走査方向に前記複数の発光素子が配されるラインを複数列形成したことを特徴とする、請求項１ないし請求項８のいずれかに記載のラインヘッド。
【請求項１０】
像担持体と、帯電手段と、複数の有機ＥＬ素子がライン状に配された発光素子と、前記発光素子を定電圧制御する手段と、前記発光素子の発光光量を計測する計測手段と、前記計測手段にて計測された計測値に基づいて前記発光素子の電圧を制御する手段と、を具備するラインヘッドと、現像手段と、転写手段とを配した画像形成ステーションを２つ以上含むタンデム方式で画像形成を行うことを特徴とする画像形成装置。
【請求項１１】
像担持体と、帯電手段と、複数の有機ＥＬ素子がライン状に配された発光素子と、前記発光素子を定電圧制御する手段と、前記発光素子の発光光量を計測する計測手段と、前記計測手段にて計測された計測値に基づいて前記発光素子の電圧を制御する手段と、現像手段と、転写手段とを配した画像形成ステーションを２つ以上含むタンデム方式で画像形成を行うことを特徴とする画像形成装置。
【請求項１２】
静電潜像を担持可能に構成された像担持体と、ロータリ現像ユニットと、複数の有機EL素子がライン状に配された発光素子と、前記発光素子を定電圧制御する手段と、前記発光素子の発光光量を計測する計測手段と、前記計測手段にて計測された計測値に基づいて前記発光素子の電圧を制御する手段と、を具備するラインヘッドとを備えたことを特徴とする画像形成装置。
【請求項１３】
静電潜像を担持可能に構成された像担持体と、ロータリ現像ユニットと、複数の有機EL素子がライン状に配された発光素子と、前記発光素子を定電圧制御する手段と、前記発光素子の発光光量を計測する計測手段と、前記計測手段にて計測された計測値に基づいて前記発光素子の電圧を制御する手段と、を具備することを特徴とする画像形成装置。
【手続補正２】
【補正対象書類名】明細書
【補正対象項目名】０００９
【補正方法】変更
【補正の内容】
【０００９】
上記目的を達成する本発明のラインヘッドは、複数の有機ＥＬ素子がライン状に配された発光素子と、前記発光素子を定電圧制御する手段と、前記発光素子の発光光量を計測する計測手段と、前記計測手段にて計測された計測値に基づいて前記発光素子の電圧を制御する手段と、を具備することを特徴とする。このような構成とすることにより、有機ＥＬ素子からなる発光素子を定電圧制御する際に、ラインヘッドの経年劣化に伴う発光光量の低下を補償して画質の劣化を防止することができる。
【手続補正３】
【補正対象書類名】明細書
【補正対象項目名】００１０
【補正方法】変更
【補正の内容】
【００１０】
また、本発明のラインヘッドは、前記発光素子の発光光量を計測する計測手段は、前記発光素子の駆動電流を計測して行なうことを特徴とする。このように、発光素子の電気量を計測することにより、駆動時間が一定時間を超えた際に発光光量が低下する有機ＥＬ素子に内在する特有の特性を補償して、画質の劣化を防止することができる。
【手続補正４】
【補正対象書類名】明細書
【補正対象項目名】００１１
【補正方法】変更
【補正の内容】
【００１１】
また、本発明のラインヘッドは、前記計測手段にて計測された計測値に基づいて、前記発光素子を定電圧制御する手段から出力される電圧を調整することを特徴とする。このような構成としているので、発光素子の定電圧制御を精度良く行うことができる。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
また、本発明のラインヘッドは、前記発光素子の定電圧制御は、一の発光素子単位で行うことを特徴とする。このように、個別の発光素子毎に定電圧制御を行うので、各発光素子の駆動時間が一定値を超えた場合でも高画質の画像形成を行うことができる。
【手続補正７】
【補正対象書類名】明細書
【補正対象項目名】００１４
【補正方法】変更
【補正の内容】
【００１４】
また、本発明のラインヘッドは、前記発光素子の定電圧制御は、前記ライン状に配された複数の発光素子を複数のブロックに区分したブロック単位で行うことを特徴とする。このように、ブロック単位で定電圧制御を行うので、種々の画像パターンを形成する際に、画質の劣化を防止することができる。
【手続補正８】
【補正対象書類名】明細書
【補正対象項目名】００１５
【補正方法】変更
【補正の内容】
【００１５】
また、本発明のラインヘッドは、前記ライン状に配された複数の発光素子に対して同電圧を印加して行うことを特徴とする。このような構成とすることにより、複数の発光素子に対する定電圧制御が簡易化される。
【手続補正９】
【補正対象書類名】明細書
【補正対象項目名】００１６
【補正方法】変更
【補正の内容】
【００１６】
また、本発明のラインヘッドは、前記各発光素子を駆動するＦＥＴのゲート電極と前記ＦＥＴのドレイン電極との間に、コンデンサを配したことを特徴とする。このように、ＦＥＴのゲート電極とドレイン電極間に、コンデンサを接続しているので、各発光素子に対する定電圧制御を円滑に行える。
【手続補正１０】
【補正対象書類名】明細書
【補正対象項目名】００１７
【補正方法】変更
【補正の内容】
【００１７】
また、本発明のラインヘッドは、前記発光素子の定電圧制御は、発光光量を所定値にするために段階的に昇圧して行われることを特徴とする。このように、発光素子に対する電圧制御は、発光素子の駆動時間に応じて段階的に電圧を変えた定電圧制御であるので、簡単な手段で画質の劣化を防止することができる。
【手続補正１１】
【補正対象書類名】明細書
【補正対象項目名】００１８
【補正方法】変更
【補正の内容】
【００１８】
また、本発明のラインヘッドは、副走査方向に前記複数の発光素子が配されるラインを複数列形成したことを特徴とする。このように、ラインヘッドの副走査方向に複数列の発光素子ラインを設けているので、多重露光や予備列の設置などに対応でき、当該ラインヘッドを用いた画像形成装置を多様な用途に適用できる。
【手続補正１２】
【補正対象書類名】明細書
【補正対象項目名】００１９
【補正方法】変更
【補正の内容】
【００１９】
本発明の画像形成装置は、像担持体と、帯電手段と、複数の有機ＥＬ素子がライン状に配された発光素子と、前記発光素子を定電圧制御する手段と、前記発光素子の発光光量を計測する計測手段と、前記計測手段にて計測された計測値に基づいて前記発光素子の電圧を制御する手段と、を具備するラインヘッドと、現像手段と、転写手段とを配した画像形成ステーションを２つ以上含むタンデム方式で画像形成を行うことを特徴とする。このため、タンデム方式の画像形成装置において、有機ＥＬ素子からなる発光素子の定電圧制御を行う際に、発光素子の駆動時間が一定時間を超えた場合の画質の劣化を防止することができる。
また、本発明の画像形成装置は、像担持体と、帯電手段と、複数の有機ＥＬ素子がライン状に配された発光素子と、前記発光素子を定電圧制御する手段と、前記発光素子の発光光量を計測する計測手段と、前記計測手段にて計測された計測値に基づいて前記発光素子の電圧を制御する手段と、現像手段と、転写手段とを配した画像形成ステーションを２つ以上含むタンデム方式で画像形成を行うことを特徴とする。
【手続補正１３】
【補正対象書類名】明細書
【補正対象項目名】００２０
【補正方法】変更
【補正の内容】
【００２０】
また、本発明の画像形成装置は、静電潜像を担持可能に構成された像担持体と、ロータリ現像ユニットと、複数の有機EL素子がライン状に配された発光素子と、前記発光素子を定電圧制御する手段と、前記発光素子の発光光量を計測する計測手段と、前記計測手段にて計測された計測値に基づいて前記発光素子の電圧を制御する手段と、を具備するラインヘッドとを備えたことを特徴とする。このため、ロータリ方式の画像形成装置において、有機ＥＬ素子からなる発光素子の定電圧制御を行う際に、発光素子の駆動時間が一定時間を超えた場合の画質の劣化を防止することができる。
【手続補正１４】
【補正対象書類名】明細書
【補正対象項目名】００２１
【補正方法】変更
【補正の内容】
【００２１】
また、本発明の画像形成装置は、静電潜像を担持可能に構成された像担持体と、ロータリ現像ユニットと、複数の有機EL素子がライン状に配された発光素子と、前記発光素子を定電圧制御する手段と、前記発光素子の発光光量を計測する計測手段と、前記計測手段にて計測された計測値に基づいて前記発光素子の電圧を制御する手段と、を具備することを特徴とする。
【手続補正１５】
【補正対象書類名】明細書
【補正対象項目名】００２６
【補正方法】変更
【補正の内容】
【００２６】
図２は、画像形成装置の概略構成を示すブロック図である。図２において、２はラインヘッドの制御部、３は制御回路、４はＴＦＴからなる駆動回路、５は電流検出器、６はメモリ、７は発光素子Ｅａが１ライン（主走査方向）に複数配列され、副走査方向に複数列設けられている発光素子ライン、８は本体コントローラである。電流検出器５は、発光素子の発光状況の計測手段として機能する。すなわち、電流検出器５は発光素子の電気量を計測するものである。本体コントローラ８は、印刷データを形成してラインヘッドの制御部２に送信する。メモリ６には、各発光素子Ｅａの特性、例えば図１（ｂ）に示したような駆動時間―発光光量の特性を記憶させている。本体コントローラ８は、図１（ａ）に示したような駆動時間―印加電流の特性を作成して制御回路３に送信する。制御回路３は、当該特性をメモリ６に記憶させる。発光素子Ｅａは、有機ＥＬ素子で形成されて主走査方向にライン状に複数配されており、このラインは副走査方向に複数形成されている。